(57)【要約】【課題】文字板の照明領域が連続的に広がっていくように視認させて、計器類に高品位感を与えることができる文字板照明を提供する。【解決手段】内側ＬＥＤ１０ａ１〜１０ａ５と外側ＬＥＤ１０ａ６〜１０ａ１９との間に内側ＬＥＤ１０ａ１〜１０ａ５を周回し、覆設される文字板５に接触しない程度の高さを有する壁１０ｂを立設する。これにより、壁１０ｂと文字板５との隙間から漏光を発生させることができる。この漏光により、内側ＬＥＤ１０ａ１〜１０ａ５及び外側ＬＥＤ１０ａ６〜１０ａ１９による照射範囲の境界をぼやけさせて、ＬＥＤの遅延点灯にともなって、文字板の照明領域が連続的に広がっていくように視認させる。【選択図】      図２
2004333360.tif 000002
【特許請求の範囲】
【請求項１】
回動する指針にて指示される所定意匠が形成された文字板と、前記文字板の背面において、前記指針の回動基部を周回するように配列された複数の内側光源及び前記内側光源の外側を周回するように配列された複数の外側光源とを有する計器に対して、前記内側光源及び前記外側光源をそれぞれ遅延点灯させるようにした文字板照明装置であって、
前記文字板の背面において、前記内側光源と前記外側光源との間に前記内側光源を周回し、覆設される前記文字板に接触しない程度の高さを有する壁を立設した、
ことを特徴とする文字板照明装置。
【請求項２】
請求項１記載の文字板照明装置において、
前記内側光源及び前記外側光源の一方のみがまず所定レベルに到達するまで徐々に照度をあげつつ点灯され、
前記一方の照度が前記所定レベルに到達する前に、前記内側光源及び前記外側光源の他方が点灯開始されて、所定レベルに到達するまで徐々に照度をあげつつ点灯される、
ことを特徴とする文字板照明装置。
【請求項３】
請求項２記載の文字板照明装置において、
前記内側光源が先に点灯開始される、
ことを特徴とする文字板照明装置。
【請求項４】
請求項３記載の文字板照明装置において、
前記内側光源の数は、前記外側光源の数よりも少ない、
ことを特徴とする文字板照明装置。
【請求項５】
請求項３又は４記載の文字板照明装置において、
前記壁における前記内側光源にそれぞれ対向する箇所は、
他の箇所よりもやや低くなるように形成されている、
ことを特徴とする文字板照明装置。
【請求項６】
請求項３〜５のいずれか一項に記載の文字板照明装置において、
前記壁の高さは、
前記内側光源に起因する漏光が前記所定意匠に直接入射することがないように設定されている、
ことを特徴とする文字板照明装置。
【請求項７】
請求項３〜６のいずれか一項に記載の文字板照明装置において、
前記文字板には、
内側から外側に向けて徐々に大きくなる複数の円形意匠が形成され、これら円形意匠の外側には、粗から密に徐々に変化するグラディエーション意匠が形成されている、
ことを特徴とする文字板照明装置。
【請求項８】
請求項１〜７のいずれか一項に記載の文字板照明装置において、
前記文字板は、円形状であり、
前記内側光源及び前記外側光源はそれぞれ、前記文字板と略相似形の円環を描くように規則的に配列されており、
前記壁は、前記文字板と略相似形の円環状に立設されている、
ことを特徴とする文字板照明装置。
【発明の詳細な説明】
【０００１】
【発明の属する技術分野】
本発明は、文字板照明装置に関し、特に、車両用計器等に用いられる文字板照明装置に関する。
【０００２】
【従来の技術】
従来、車両用計器等においては、イグニッションスイッチと連動して、文字板背面に配置された光源を遅延点灯させることにより、文字板を分割点灯させる照明装置があった。更に、指針も含めて、文字板を分割点灯させる照明装置もあった（特許文献１及び特許文献２参照）。
【０００３】
【特許文献１】
特開２０００−３３７９３０号公報
【特許文献２】
特開２００１−３３０４８１号公報
【０００４】
【発明が解決しようとする課題】
ところが、上記従来の照明装置においては、いずれも、特定部位を照明した後、所定時間遅延して他の部位を照明するものであった。このため、文字板の照明領域が不連続に広がっていくように視認され、高品位感に欠けるものであった。
【０００５】
よって本発明は、上述した現状に鑑み、文字板の照明領域が連続的に広がっていくように視認させて、計器類に高品位感を与えることができる文字板照明を提供することを課題としている。
【０００６】
【課題を解決するための手段】
上記課題を解決するためになされた請求項１記載の文字板照明装置は、回動する指針にて指示される所定意匠が形成された文字板と、前記文字板の背面において、前記指針の回動基部を周回するように配列された複数の内側光源及び前記内側光源の外側を周回するように配列された複数の外側光源とを有する計器に対して、前記内側光源及び前記外側光源をそれぞれ遅延点灯させるようにした文字板照明装置であって、前記文字板の背面において、前記内側光源と前記外側光源との間に前記内側光源を周回し、覆設される前記文字板に接触しない程度の高さを有する壁を立設した、ことを特徴とする。
【０００７】
請求項１記載の発明によれば、内側光源と外側光源との間に内側光源を周回し、覆設される文字板に接触しない程度の高さを有する壁を立設することにより、壁と文字板との隙間から漏光を発生させることができる。この漏光により、内側光源及び外側光源による照射範囲の境界をぼやけさせて、内側光源及び外側光源の遅延点灯にともなって、文字板の照明領域が連続的に広がっていくように視認させることが可能になる。
【０００８】
上記課題を解決するためになされた請求項２記載の文字板照明装置は、請求項１記載の文字板照明装置において、前記内側光源及び前記外側光源の一方のみがまず所定レベルに到達するまで徐々に照度をあげつつ点灯され、前記一方の照度が前記所定レベルに到達する前に、前記内側光源及び前記外側光源の他方が点灯開始されて、所定レベルに到達するまで徐々に照度をあげつつ点灯される、ことを特徴とする。
【０００９】
請求項２記載の発明によれば、最初に徐々に照度をあげていった一方の光源の照度が所定レベルに到達する前に、他方の光源が点灯開始される。このように、他方の光源点灯開始のタイミングを制御することにより、文字板の照明領域がより連続的に広がっていくように視認させることが可能になる。
【００１０】
上記課題を解決するためになされた請求項３記載の文字板照明装置は、請求項２記載の文字板照明装置において、前記内側光源が先に点灯開始される、ことを特徴とする。
【００１１】
請求項３記載の発明によれば、内側から外側に向かって連続的に文字板の照明領域が広がっていくように視認させることが可能になる。このため、照明領域の広がりに違和感がない。
【００１２】
上記課題を解決するためになされた請求項４記載の文字板照明装置は、請求項３記載の文字板照明装置において、前記内側光源の数は、前記外側光源の数よりも少ない、ことを特徴とする。
【００１３】
請求項４記載の発明によれば、内側光源の数は外側光源の数よりも少ないので、文字板の照明領域が連続的に広がっていく際に、暗から明への変化を強調して視認させることが可能になる。したがって、計器類により高品位感を与えることができる。
【００１４】
上記課題を解決するためになされた請求項５記載の文字板照明装置は、請求項３又は４記載の文字板照明装置において、前記壁における前記内側光源にそれぞれ対向する箇所は、他の箇所よりもやや低くなるように形成されている、ことを特徴とする。
【００１５】
請求項５記載の発明によれば、壁における内側光源にそれぞれ対向する箇所は、他の箇所よりもやや低くなるように形成されているので、壁に反射した内側光源からの光に起因する文字板照明のムラを抑制することができる。
【００１６】
上記課題を解決するためになされた請求項６記載の文字板照明装置は、請求項３〜５のいずれか一項に記載の文字板照明装置において、前記壁の高さは、前記内側光源に起因する漏光が前記所定意匠に直接入射することがないように設定されている、ことを特徴とする。
【００１７】
請求項６記載の発明によれば、内側光源と外側光源との間に立設された壁の高さは、内側光源に起因する漏光が、指針にて指示される意匠に直接入射することがないように設定されているので、指針にて指示される意匠が明るくなりすぎるのを防止する。
【００１８】
上記課題を解決するためになされた請求項７記載の文字板照明装置は、請求項３〜６のいずれか一項に記載の文字板照明装置において、前記文字板には、内側から外側に向けて徐々に大きくなる複数の円形意匠が形成され、これら円形意匠の外側には、粗から密に徐々に変化するグラディエーション意匠が形成されている、ことを特徴とする。
【００１９】
請求項７記載の発明によれば、文字板には、内側から外側に向けて徐々に大きくなる複数の円形意匠が形成され、更に、これら円形意匠の外側には、粗から密に徐々に変化するグラディエーション意匠が形成されているので、内側から外側への広がり感をより強調することができる。
【００２０】
上記課題を解決するためになされた請求項８記載の文字板照明装置は、請求項１〜７のいずれか一項に記載の文字板照明装置において、前記文字板は、円形状であり、前記内側光源及び前記外側光源はそれぞれ、前記文字板と略相似形の円環を描くように規則的に配列されており、前記壁は、前記文字板と略相似形の円環状に立設されている、ことを特徴とする。
【００２１】
請求項８記載の発明によれば、文字板の形状、内側光源及び外側光源の配列、及び壁の立設は共に円形状であるので、文字板が放射状に点灯していくように視認させる。
【００２２】
【発明の実施の形態】
以下、本発明の実施の形態を図面に基づいて説明する。
図１は、本発明の文字板照明装置を備えた計器を示す分解斜視図である。この計器は、例えば、図１に示すような車両に搭載されるコンビネーションメータである。このコンビネーションメータは、メータ本体１、導光板２、拡散板３、ＬＣＤ（Ｌｉｑｕｉｄ  Ｃｒｙｓｔａｌ  Ｄｉｓｐｌａｙ）４、文字板５、見返し６、指針７及び表ガラス８を含んで構成される。上記メータ本体１には、まず導光板２及び拡散板３が装着された後、その上からＬＣＤ４が取り付けられる。更にその上に、文字板５、見返し６及び表ガラス８がこの順に取り付けられる。この際、指針７は図示しないムーブメントの回転軸に取り付けられる。
【００２３】
メータ本体１は、例えば、樹脂製であり、横長の皿状をしている。このメータ本体１の前面には、スピード部１０、ＬＣＤ収容部１１、１２、及びＡＴ部１３等が形成されている。スピード部１０は、楕円形の皿状をしており、その中央部には筒状部１４が形成されている。図示しないが、筒状部１４の背面には、指針を回動させるムーブメントが配置されおり、その回転軸が筒状部１４に覆われている。この筒状部１４を周回するように内側光源及び外側光源を構成する複数のＬＥＤ（Ｌｉｇｈｔ  Ｅｍｉｔｔｉｎｇ  Ｄｉｏｄｅ）１０ａが配列されている。また、内側光源と外側光源との間には内側光源を周回し、覆設される文字板に接触しない程度の高さを有する壁１０ｂが立設されている。このスピード部１０については、図２以降を用いて後述する。
【００２４】
メータ本体１のＬＣＤ収容部１１、１２、及びＡＴ部１３はいずれも、これらに収容されるＬＣＤ４１、４２及び導光板２の形状に応じた四角形状又はかぎ型形状をしている。メータ本体１の周縁部或いは側面部には、見返し６や表ガラス８が取り付けられるときに使用される嵌合部１６やこのメータがインストルメントパネルに取り付けられるときに利用される取付片１５、１７が設けられている。なお、メータ本体１の背面には、ここでは図示しないムーブメントや電子部品類を実装した基板が取り付けられている。更に、その背面には、裏カバーが覆設されている。
【００２５】
導光板２は、「Ｐ」、「Ｒ」、「Ｎ」、「Ｄ」、「Ｓ」、「Ｂ」等で表されるギアポジションに対応して、かぎ型をしている。導光板２は、例えば、導光性のあるアクリル樹脂製である。この導光板２は、基板状に配列された図示しないＬＥＤからの光を導光して、右側文字板５２に形成されたポジション意匠５２ｂを背面から照明する。
【００２６】
拡散板３は、ＬＥＤからの出射光により、文字板５０、５１、５２やＬＣＤ４１、４２を背面から効果的に照明するためのもので、例えば、白濁色の樹脂製である。拡散板３は、中央文字板５０の形状に対応した拡散板中央部３０、並びにＬＣＤ４１及び４２の形状にそれぞれ対応した拡散板左部及び拡散板右部が連結されたような形状をしている。拡散板中央部３０の中央部には、上記筒上部１４に対応した中央孔３０ａが穿設されている。
【００２７】
ＬＣＤ４は、液晶表示デバイスであり、正方形に近いＬＣＤ４１及び矩形のＬＣＤ４２から構成される。ＬＣＤ４１には燃費や燃料残量が表示され、ＬＣＤ４２には累積走行距離等が表示される。それらの表面は、点灯される意匠を除いて、黒色をしている。
【００２８】
文字板５は、例えば、透明生地の薄板状のポリカーボネイト製であり、中央文字板５０、それぞれ分離形成された左側文字板５１及び右側文字板５２から構成されている。中央文字板５０は、アナログタイプであり、その中央部には、指針の回転軸部が挿通される中央孔５０ａが穿設され、その周辺部には、スピードを数字や目盛りで示す意匠５０ｂが形成されている。また、左側文字板５１は、ＬＣＤ４１の燃費や燃料残量の表示エレメントに対応した形状の開口部５１ａ、文字やマーク等が形成された意匠５１ｂが形成されている。そして、右側文字板５２には、ＬＣＤ４２の表示エレメントに対応した形状の開口部５２ａ、各ギアポジションを示す「Ｐ」、「Ｒ」、「Ｎ」、「Ｄ」、「Ｓ」、「Ｂ」等の意匠が形成されている。各文字板５０、５１、５２は、上記それぞれの意匠を中抜きにして、黒色印刷が施されている。
【００２９】
見返し６は、例えば、黒色系の樹脂製であり、文字板５０、５１、５２の形状にそれぞれ対応した開口部６０、６１、６２を有する横長の筒状をしている。また、この見返し６の側面部には、上記メータ本体１の取付片１５、１７と共にこのメータがインストルメントパネルに取り付けられるときに利用される取付片６４や嵌合部１６に嵌合される嵌合爪６５が設けられている。
【００３０】
指針７は、その指針軸部が上記ムーブメントの回転軸に挿通されて、ムーブメントの回転軸の回転にともなって、中央文字板５０に形成された所定の意匠５０ｂを指示する。
【００３１】
表ガラス８は、例えば、横長の樹脂製の黒色系透明板である。表ガラス８は、このメータの前面をブラックフェース化して高級感を高めるのにも役立つ。また、この表ガラス８の側面部には、見返し６に取り付けられるときに利用される複数のロック片８６が設けられている。
【００３２】
次に、本発明の文字板照明装置が適用される上記スピード部１０の構成について、図２及び図３を用いて説明する。図２は、スピード部の分解斜視図である。図３は、スピード部の断面図である。なお、図２の斜視図においては、文字板５０の下側に取り付けられる拡散板３及び文字板５０の上側に取り付けられる見返し６、指針７及び表ガラス８は省略している。また、図２及び図３中、上記図１と共通する部分には、同一の符号を付し、重複する説明は省略する。
【００３３】
図２及び図３に示すように、メータ本体１のスピード部１０は、正円に近い楕円形の皿状をしている。スピード部１０の底面の中央部には、この背面に配置されたムーブメント１０２の回転軸１０２ａを覆うように筒状部１４が形成されている。なお、筒状部１４は、請求項中の回動基部に対応する。
【００３４】
この筒状部１４を周回するように、複数の内側ＬＥＤ１０ａ１〜１０ａ５が配列されている。また、これら内側ＬＥＤ１０ａ１〜１０ａ５の外側を周回するように複数の外側ＬＥＤ１０ａ６〜１０ａ１９が配列されている。内側ＬＥＤ１０ａ１〜１０ａ５及び外側ＬＥＤ１０ａ６〜１０ａ１９は共に、文字板と略相似形の円環を描くように規則的に配列されている。但し、内側ＬＥＤ１０ａ１〜１０ａ５の数は外側ＬＥＤ１０ａ６〜１０ａ１９よりも少なくなっている。このように、内側ＬＥＤ１０ａ１〜１０ａ５の数を少なくすることにより、内側から外側に文字板の照明領域が広がっていく際に、暗から明への変化を強調して視認させることが可能になる。
【００３５】
詳しくは、各ＬＥＤ１０ａ１〜１０ａ５及び外側ＬＥＤ１０ａ６〜１０ａ１９は、図３に示すように、基板１０３上に実装されており、スピード部１０の底面に各ＬＥＤに対応して穿設された開口部を介して、文字板方向に光を出射する。これらＬＥＤ１０ａ１〜１０ａ５及び外側ＬＥＤ１０ａ６〜１０ａ１９は、基板１０３に実装されている図示しない、ＬＥＤ制御回路により点灯制御される。本発明に係る点灯制御の一例は、図４等を用いて後述する。内側ＬＥＤ１０ａ１〜１０ａ５及び外側ＬＥＤ１０ａ６〜１０ａ１９はそれぞれ、請求項中の内側光源及び外側光源に対応する。なお、ＬＥＤ１０ａ２０は指針基部に光を供給させるための指針用光源であり、また、基板１０３の背面には裏カバー１０１が取り付けられている。
【００３６】
また、内側ＬＥＤ１０ａ１〜１０ａ５及び外側ＬＥＤ１０ａ６〜１０ａ１９間には、内側ＬＥＤ１０ａ１〜１０ａ５を周回するように、文字板と略相似形の円環状の壁１０ｂが立設されている。この壁１０ｂにおける内側ＬＥＤ１０ａ１〜１０ａ５にそれぞれ対向する箇所は、凹部１０ｂ１〜１０ｂ５が形成されている。このような凹部１０ｂ１〜１０ｂ５により、壁１０ｂに反射した内側ＬＥＤ１０ａ１〜１０ａ５からの光に起因する文字板照明のムラを抑制することができる。また、このスピード部１０の側壁は、図中上方に向かって徐々に開口するような傾斜壁１０ｃになっている。
【００３７】
一方、中央文字板５０は、上記スピード部１０の開口部と同等の正円に近い楕円形をしている。その中央部には、指針７の回転軸部７１が挿通される中央孔５０ａが穿設されている。また、その周辺部には、スピードを数字や目盛りで示す意匠５０ｂが形成されている。更に、中央文字板５０には、中央孔５０ａに近い文字板内側から外側に向けて徐々に大きくなる複数の円形意匠５０ｃ１が形成され、円形意匠５０ｃ１の外側には、円形意匠５０ｃ１を周回するように、粗から密に徐々に変化するグラディエーション意匠５０ｃ２が形成されている。円形意匠５０ｃ１及びグラディエーション意匠５０ｃ２の色調は、例えば、薄白色や薄青色である。このような複数の円形意匠５０ｃ１及びグラディエーション意匠５０ｃ２により、内側から外側への広がり感をより強調することができる。
【００３８】
なお、図３に示すように、壁１０ｂの高さは、内側ＬＥＤ１０ａ１〜１０ａ５に起因する漏光Ｒが意匠５０ｂに直接入射することがないように設定されている。したがって、意匠５０ｂが明るくなりすぎるのを防止することができる。また、文字板５の形状、内側ＬＥＤ１０ａ１〜１０ａ５及び外側ＬＥＤ１０ａ６〜１０ａ１９の配列、及び壁１０ｂの立設は共に円形状であるので、文字板５が放射状に点灯していくように視認させることができる。したがって、今までにない斬新さを備えた計器を提供することができる。
【００３９】
更に、図４及び図５を用いて、本発明の文字板照明装置における照明方法の一例及びその作用効果について説明する。図４は、本発明の文字板照明装置に係る点灯制御の一例を示すタイムチャートである。図５（Ａ）〜図５（Ｂ）は、図４の点灯制御による各ＬＥＤからの出射光の作用を示す図である。なお、図４及び図５中、上記図１及び図３と共通する部分には、同一の符号を付し、重複する説明は省略する。
【００４０】
図４に示すように、イグニッションスイッチＩＧがオンされてから所定時間Ｔ１だけ経過すると、まず、指針用ＬＥＤ１０ａ２０が点灯されて、その出射光Ｒ０により、周知の方法で指針７が照明される。
【００４１】
この後、イグニッションスイッチＩＧがオンされてから所定時間Ｔ２だけ経過した時点で、内側ＬＥＤ１０ａ１〜１０ａ５が同時に点灯開始される。内側ＬＥＤ１０ａ１〜１０ａ５の点灯は、所定レベルに到達するまで時間Ｔ３をかけて徐々に照度をあげつつ点灯される。この際、図５（Ａ）に示すように、徐々に照度をあげていく内側ＬＥＤ１０ａ１〜１０ａ５からの出射光Ｒ１の一部は、上記壁１０ｂと文字板５との隙間から外側ＬＥＤ１０ａ６〜１０ａ１９が配列されている側に漏れて、文字板５を照明する。但し、この漏光は、文字板５の外側まではほとんど到達することはない。
【００４２】
次に、内側ＬＥＤ１０ａ１〜１０ａ５の照度が所定レベルに到達する前に、すなわち、イグニッションスイッチＩＧがオンされてから所定時間Ｔ４だけ経過した時点で、外側ＬＥＤ１０ａ６〜１０ａ１９が同時に点灯開始される。外側ＬＥＤ１０ａ６〜１０ａ１９の点灯は、所定レベルに到達するまで時間Ｔ５をかけて徐々に照度をあげつつ点灯される。この際、図５（Ｂ）に示すように、徐々に照度をあげていく外側ＬＥＤ１０ａ６〜１０ａ１９からの出射光Ｒ３の一部も、上記壁１０ｂと文字板５との隙間から内側ＬＥＤ１０ａ１〜１０ａ５側に漏れて、文字板５を照明する。この漏光と、上記出射光Ｒ１の一部による漏光、或いは、既に所定レベルに到達した内側ＬＥＤ１０ａ１〜１０ａ５からの出射光Ｒ２の一部による漏光が、壁１０ｂの上方でオーバーラップして、内側ＬＥＤ１０ａ１〜１０ａ５及び外側ＬＥＤ１０ａ６〜１０ａ１９による照射範囲の境界が際だつことを防止する。すなわち、この境界がぼやけたように視認される。したがって、文字板５０の照明領域が連続的に広がっていくように視認させることができる。
【００４３】
更に、外側ＬＥＤ１０ａ６〜１０ａ１９が点灯開始されてからしばらくして、すなわち、イグニッションスイッチＩＧがオンされてから所定時間Ｔ６だけ経過した時点で、ＬＣＤ４１、４２も点灯される。そして、イグニッションスイッチＩＧがオンされてから所定時間Ｔ７だけ経過した時点では、全てのＬＥＤ１０ａ１〜１０ａ１８、１０ａ２０が点灯完了する。すると、図５（Ｃ）に示すように、点灯完了した内側ＬＥＤ１０ａ１〜１０ａ５からの出射光Ｒ２、点灯完了した外側ＬＥＤ１０ａ６〜１０ａ１９からの出射光Ｒ４、及び点灯完了した指針用ＬＥＤ１０ａ２０からの出射光Ｒ０により、文字板５全体及び指針７が定常状態で照明される。また、ここでは図示しないＬＣＤ４１、４２も定常状態で照明されている。
【００４４】
このように、本発明の実施形態によれば、内側ＬＥＤ１０ａ１〜１０ａ５と外側ＬＥＤ１０ａ６〜１０ａ１９の間に低い壁１０ｂを立設することにより、文字板の照明領域が連続的に広がっていくように視認させることが可能になる。したがって、計器類に高品位感及び斬新性を与えることができる。
【００４５】
なお、上記実施形態では、ひとつの壁を立設する例を示したが、本発明は、これに限定されるものではない。すなわち、壁は複数であってもよい。これにともない壁にて分離されるＬＥＤの数や配列も適宜変更可能である。また、上記実施形態では、内側から外側に向かって文字板の照明領域が広がっていくようにしているが、逆に、外側から内側に向かって照明領域が広がっていくようにしてもよい。これにともない、内側ＬＥＤ及び外側ＬＥＤの数や配列も適宜変更可能である。また、上記実施形態では、スピード部への適用例を示したが、本発明はタコメータ部等にも適用可能である。また、スピード部とタコメータ部とを備えたコンビネーションメータでは、両方に本発明を適用するようにしてもよい。更には、車両用メータのみならず、文字板を備えた計器であれば、それらにも本発明は、適用可能である。
【００４６】
【発明の効果】
以上説明したように、請求項１記載の発明によれば、内側光源と外側光源との間に内側光源を周回し、覆設される文字板に接触しない程度の高さを有する壁を立設することにより、壁と文字板との隙間から漏光を発生させることができる。この漏光により、内側光源及び外側光源による照射範囲の境界をぼやけさせて、内側光源及び外側光源の遅延点灯にともなって、文字板の照明領域が連続的に広がっていくように視認させることが可能になる。したがって、計器類に高品位感を与えることができる。
【００４７】
請求項２記載の発明によれば、最初に徐々に照度をあげていった一方の光源の照度が所定レベルに到達する前に、他方の光源が点灯開始される。このように、他方の光源点灯開始のタイミングを制御することにより、文字板の照明領域がより連続的に広がっていくように視認させることが可能になる。したがって、計器類により高品位感を与えることができる。
【００４８】
請求項３記載の発明によれば、内側から外側に向かって連続的に文字板の照明領域が広がっていくように視認させることが可能になる。このため、照明領域の広がりに違和感がない。したがって、計器類により高品位感を与えることができる。
【００４９】
請求項４記載の発明によれば、内側光源の数は外側光源の数よりも少ないので、文字板の照明領域が連続的に広がっていく際に、暗から明への変化を強調して視認させることが可能になる。したがって、計器類により高品位感を与えることができる。
【００５０】
請求項５記載の発明によれば、壁における内側光源にそれぞれ対向する箇所は、他の箇所よりもやや低くなるように形成されているので、壁に反射した内側光源からの光に起因する文字板照明のムラを抑制することができる。したがって、計器類により高品位感を与えることができる。
【００５１】
請求項６記載の発明によれば、内側光源と外側光源との間に立設された壁の高さは、内側光源に起因する漏光が、指針にて指示される意匠に直接入射することがないように設定されているので、指針にて指示される意匠が明るくなりすぎるのを防止することができる。したがって、計器類により高品位感を与えることができる。
【００５２】
請求項７記載の発明によれば、文字板には、内側から外側に向けて徐々に大きくなる複数の円形意匠が形成され、更に、これら円形意匠の外側には、粗から密に徐々に変化するグラディエーション意匠が形成されているので、内側から外側への広がり感をより強調することができる。したがって、計器類に更に高品位感を与えることができる。
【００５３】
請求項８記載の発明によれば、文字板の形状、内側光源及び外側光源の配列、及び壁の立設は共に円形状であるので、文字板が放射状に点灯していくように視認させることができる。したがって、今までにない斬新さを備えた計器を提供することができる。
【図面の簡単な説明】
【図１】本発明の文字板照明装置を備えた計器を示す分解斜視図である。
【図２】スピード部の分解斜視図である。
【図３】スピード部の断面図である。
【図４】本発明の文字板照明装置に係る点灯制御の一例を示すタイムチャートである。
【図５】図５（Ａ）〜図５（Ｂ）は、図４の点灯制御による各ＬＥＤからの出射光の作用を示す図である。
【符号の説明】
１  メータ本体
２  導光板
３  拡散板
４  ＬＣＤ
５  文字板
６  見返し
７  指針
８  表ガラス
１０  スピード部
１０ａ１〜１０ａ５  内側ＬＥＤ
１０ａ６〜１０ａ１９  外側ＬＥＤ
１０ｂ  壁
１０ｃ  傾斜壁
５０  中央文字板（文字板）
【図１】
2004333360.tif 000003
【図２】
2004333360.tif 000004
【図３】
2004333360.tif 000005
【図４】
2004333360.tif 000006
【図５】
2004333360.tif 000007